(57)【特許請求の範囲】
【請求項１】
ＴＣＰ／ＩＰプロトコルを実装した端末装置の間をＬＡＮによって接続し、この端末装置間でソケット通信により伝送データの送受信を行っているときの異常を監視する異常監視機能を備えた伝送システムであって、
前記伝送データと、異常を監視するために一定の周期で送信される監視データとをソケット毎に送信し、前記監視データを一定時間送信できなかったときには、送信できなかったソケットのみをクローズしてから初期化する第１の端末装置と、
この第１の端末装置で送信された前記伝送データと前記監視データとを伝送する伝送路と、
この伝送路によって伝送された前記伝送データと前記監視データとをソケット毎に受信し、前記監視データを一定時間受信しなかったときには、受信しなかったソケットのみをクローズしてから初期化する第２の端末装置とから構成されることを特徴とする異常監視機能を備えた伝送システム。
【請求項２】
ＴＣＰ／ＩＰプロトコルを実装して、ＬＡＮによって接続された他の端末装置とソケット通信により伝送データの送受信を行っているときの異常を監視する異常監視機能を備えた端末装置であって、
前記伝送データを前記他の端末装置に送信するときには、前記伝送データを送信するとともに、異常を監視するための監視データを一定の周期でソケット毎に送信し、前記監視データを一定時間送信できなかったときには、送信できなかったソケットのみをクローズしてから初期化し、
前記他の端末装置から伝送データを受信するときには、前記伝送データを受信するとともに、前記他の端末装置から一定の周期で送信された監視データをソケット毎に受信し、前記監視データを一定時間受信しなかったときには、受信しなかったソケットのみをクローズしてから初期化することを特徴とする異常監視機能を備えた端末装置。
【請求項３】
ＴＣＰ／ＩＰプロトコルを実装して、ＬＡＮによって接続された他の端末装置とソケット通信により伝送データの送受信を行っているときの異常を監視する異常監視機能を備えた端末装置における処理プログラムを記録した記録媒体であって、
前記伝送データを前記他の端末装置に送信するときには、前記伝送データを送信する処理と、異常を監視するための監視データを一定の周期でソケット毎に送信する処理と、前記監視データを一定時間送信できなかったときには送信できなかったソケットのみをクローズしてから初期化する処理とを含み、
前記他の端末装置から前記伝送データを受信するときには、前記伝送データを受信する処理と、前記他の端末装置から一定の周期で送信された監視データをソケット毎に受信する処理と、前記監視データを一定時間受信しなかったときには受信しなかったソケットのみをクローズしてから初期化する処理とを含むことを特徴とする異常監視機能を備えた端末装置における処理プログラムを記録した記録媒体。
【発明の詳細な説明】
【０００１】
【発明の属する技術分野】
本発明は、ＴＣＰ／ＩＰ（Transmission Control Protocol/Internet Protocol）プロトコルを実装した端末装置間でソケット通信を行う伝送システムに関し、特に一定周期の監視データをソケット毎に送信して異常を監視することにより、ソケット毎に異常を検知することのできる異常監視機能を備えた伝送システム、異常監視機能を備えた端末装置、及び異常監視機能を備えた端末装置における処理プログラムを記録した記録媒体に関する。
【０００２】
【従来の技術】
従来からパソコンやＰＬＣ（Programable Logic Controler）、ワークステーションなどの端末装置の間をイーサネット（Ethernet）などのＬＡＮ（Local Area Network）によって接続してソケット通信が行われていた。
【０００３】
このような通信の一例として、水道事業におけるポンプ所と処理場との間で従来から行われている一般的な伝送システムについて、図４に基づいて説明する。
【０００４】
図４に示すように、従来の伝送システム１０１は、処理場１０２の監視装置１０３に接続されたＰＬＣ１０４と、ポンプ所１０５のポンプ１０６に接続されたＰＬＣ１０７と、処理場１０２とポンプ所１０５との間を接続する伝送路１０８とから構成されている。
【０００５】
ここで、ＰＬＣ１０４、１０７は、ＴＣＰ／ＩＰプロトコルを実装し、ソケット通信により伝送データを送受信する。ソケットは複数あり、デジタルデータ、アナログデータ、パルスデータ、デジタル出力、設定値出力などの伝送を行うソケットが用意されている。
【０００６】
また、伝送路１０８はイーサネットなどのＬＡＮによる伝送路であって、とくにイーサネットである場合には、トランシーバケーブル、トランシーバ、イーサネット同軸ケーブルを介して各ＰＬＣ１０４、１０７間は接続されている。またＡＴＭルータを介して下水道管内に設置された光ファイバーケーブルで接続される場合もある。
【０００７】
この従来の伝送システムによるＴＣＰ伝送をフローチャートに基づいて説明する。
【０００８】
まず、送信側のＰＬＣ１０４における処理を図５のフローチャートに基づいて説明する。送信側では、まず複数のソケットのうち伝送データを送信するソケットをアクティブオープンして受信側にコネクションの確立を要求する（Ｓ５０１）。このとき、受信側の該当するソケットがパッシブオープンされていなければ、コネクションは確立されないのでステップＳ５０１に戻ってコネクションを要求し続け、受信側のソケットがパッシブオープンされているときにはコネクションを確立する（Ｓ５０２）。コネクションが確立されると、その後はオペレータによるポンプの操作命令や各機器の作動状況などの伝送データがあれば、随時伝送することができる。そこで、オペレータによって伝送データが入力されたか否かを判断し（Ｓ５０３）、伝送データが入力されたときにはその伝送データを送信する（Ｓ５０４）。そして、ステップＳ５０３で伝送データが入力されていないと判断されたとき、あるいはステップＳ５０４で入力された伝送データが送信されたときにはコネクションを確立し続けるか否かを判断する（Ｓ５０５）。ここで、コネクションを終了するときにはソケットをクローズして（Ｓ５０６）伝送を終了し、コネクションを確立し続けるときにはステップＳ５０３に戻って伝送を続ける。
【０００９】
次に、受信側のＰＬＣ１０７における処理を図６のフローチャートに基づいて説明する。受信側では、まずデータが伝送されてくるソケットをパッシブオープンして送信側のＰＬＣ１０４にコネクションの確立を要求する（Ｓ６０１）。このとき、送信側がアクティブオープンされていなければ、コネクションは確立されないのでステップＳ６０１に戻ってコネクションの確立を要求し続け、送信側がアクティブオープンされているときにはコネクションを確立する（Ｓ６０２）。コネクションが確立されたら、伝送データが送信されてきているか否かを判断し（Ｓ６０３）、伝送データが送信されてきているときには伝送データを受信する（Ｓ６０４）。そして、ステップＳ６０３で伝送データが送信されていないと判断したとき、あるいはステップＳ６０４で送信されてきた伝送データを受信したときには、コネクションを確立し続けるか否かを判断し（Ｓ６０５）、コネクションを終了するときにはソケットをクローズして（Ｓ６０６）伝送を終了し、コネクションを確立し続けるときにはステップＳ６０３に戻って伝送データの受信を続ける。
【００１０】
【発明が解決しようとする課題】
しかしながら、上述した従来の伝送システムでは、例えば伝送路上のケーブルの切断や端末装置の電源断のような異常が発生したときには、送信側のＰＬＣ１０４では伝送データを送信することができなくなり、受信側のＰＬＣ１０７でも伝送データを受信することができなくなる。
【００１１】
ところが、異常が発生して伝送データの送受信ができなくなっているにも関わらず、ＴＣＰ／ＩＰプロトコルによる伝送では、一度正常にコネクションが確立されてしまうと、コネクションは確立したままとなり、切断されることがなかった。したがって、各ＰＬＣ１０４、１０７では異常を検知することができず、あたかも正常に伝送しているような状態に陥ることがあった。とくに、ＰＬＣ１０４、１０７のアプリケーションソフトが正常である判断してしまうので、異常を検知することができなかった。したがって、この状態に陥るとオペレータは伝送データを実際に送信するまで異常に気がつくことができず、水道事業における処理施設では安全面で問題になることが発生していた。例えば、遠隔地にあるポンプ所１０５と処理場１０２の監視装置１０３との間の通信では、ＴＣＰ／ＩＰプロトコル伝送を使用するのは、ポンプなどの機器の操作信号を伝送するときに多く、この操作信号はオペレータが監視装置１０３に命令を入力したときに発生するものである。ところが、オペレータが一日などの長時間機器を操作しないこともあり、このときには故障してから長時間経過した後にオペレータが実際に機器を操作しようとしたときに初めて異常に気が付くことになる。もし、このときの操作がポンプを非常停止させるような緊急を要する操作であった場合には、操作したときに異常を発見したのでは、断水や送水停止、雨水の氾濫、処理場の冠水などの重大な事態を引き起こすという問題点があった。
【００１２】
さらに、ＰＬＣ１０４、１０７が動作しなくなる無応答状態に陥ることもあり、この場合にはそれを復旧するための仕組みも確立していなかったので、安全性の面でさらに問題点があった。
【００１３】
また、回線上の異常を監視するための別の方法として、インターネット制御メッセージ・プロトコルＩＣＭＰ（Internet Control Message Protcol）のｐｉｎｇコマンドを利用する方法も考えられる。このｐｉｎｇコマンドはＩＣＭＰにおいて通信が正常に行われているか否かを検証するためのコマンドである。
【００１４】
このｐｉｎｇコマンドでは、送信側のＰＬＣ１０４からエコーリクエスト・メッセージが作成されて送信され、受信側のＰＬＣ１０７ではそのメッセージを受信するとエコーリプライ・メッセージを送り返す。このエコーリプライ・メッセージを送信側のＰＬＣ１０４で受信することができれば、回線上に障害がないことが確認できる。
【００１５】
しかしながら、この場合には回線の障害を監視するための専用のソケットを設けて回線の障害を監視するので、すべてのソケットが異常になるような障害が発生したときには、確かにこのｐｉｎｇコマンドを利用する方法で検知することができるが、監視用のソケット以外のソケットのみに異常が発生したような場合にはｐｉｎｇコマンドを利用する方法では異常を検知することができなかった。
【００１６】
また、ＵＤＰプロトコルで定周期データを送信することによって回線を監視する方法もよく用いられているが、この方法の場合にも、監視用のＵＤＰソケットを設けて回線の異常を監視するので、ＴＣＰソケットに異常が発生していたとしても、ＵＤＰソケットが正常に伝送されていると、ＴＣＰソケットの異常を検知することができなかった。
【００１７】
したがって、ｐｉｎｇコマンドを利用した場合でも、ＵＤＰプロトコルを使用した場合でも回線全体に障害が発生したような場合には異常を検知することができるが、回線監視用のソケット以外のソケットのみに異常が発生したような場合にはその異常を検知することができないという問題点があった。
【００１８】
また逆に、回線監視用のソケットを設けた場合には、回線監視用のソケットで異常が発生すると、すべてのソケットが停止させられてしまうので、正常に伝送が行われているソケットまでもが停止させられてしまうという問題点もあった。
【００１９】
本発明は上記事情に鑑みてなされたものであり、その目的は、一定周期の監視データをソケット毎に送信して伝送路を監視することにより、ソケット毎に異常を検知することのできる異常監視機能を備えた伝送システム、異常監視機能を備えた端末装置、及び異常監視機能を備えた端末装置における処理プログラムを記録した記録媒体を提供することにある。
【００２０】
【課題を解決するための手段】
上記目的を達成するために、請求項１の発明は、ＴＣＰ／ＩＰプロトコルを実装した端末装置の間をＬＡＮによって接続し、この端末装置間でソケット通信により伝送データの送受信を行っているときの異常を監視する異常監視機能を備えた伝送システムであって、前記伝送データと、異常を監視するために一定の周期で送信される監視データとをソケット毎に送信し、前記監視データを一定時間送信できなかったときには、送信できなかったソケットのみをクローズしてから初期化する第１の端末装置と、この第１の端末装置で送信された前記伝送データと前記監視データとを伝送する伝送路と、この伝送路によって伝送された前記伝送データと前記監視データとをソケット毎に受信し、前記監視データを一定時間受信しなかったときには、受信しなかったソケットのみをクローズしてから初期化する第２の端末装置とから構成されることを特徴とする。
【００２１】
この請求項１の発明によれば、監視データが一定時間送受信できなかったときには異常が発生したと判断して該当するソケットをクローズして初期化するので、異常が発生していることに気付かずにコネクションが確立したままになることを防止することができ、回線の異常を速やかに検知することができる。
【００２２】
また、ソケット毎に監視データを送受信して各ソケット毎に異常を監視するので、回線の障害を監視するための専用のソケットを設ける必要がなくなるとともに、すべての回線が異常となるような障害だけでなく、１つのソケットのみが異常となるような障害が発生した場合でも、その異常を検知することができる。さらに、１つのソケットで異常が発生した場合でも、その他の正常に伝送しているソケットを停止させる必要がなくなった。
【００２３】
請求項２の発明は、ＴＣＰ／ＩＰプロトコルを実装して、ＬＡＮによって接続された他の端末装置とソケット通信により伝送データの送受信を行っているときの異常を監視する異常監視機能を備えた端末装置であって、前記伝送データを前記他の端末装置に送信するときには、前記伝送データを送信するとともに、異常を監視するための監視データを一定の周期でソケット毎に送信し、前記監視データを一定時間送信できなかったときには、送信できなかったソケットのみをクローズしてから初期化し、前記他の端末装置から伝送データを受信するときには、前記伝送データを受信するとともに、前記他の端末装置から一定の周期で送信された監視データをソケット毎に受信し、前記監視データを一定時間受信しなかったときには、受信しなかったソケットのみをクローズしてから初期化することを特徴とする。
【００２４】
この請求項２の発明によれば、異常が発生していることに気付かずにコネクションが確立したままになることを防止することができ、回線の異常を速やかに検知することができる。
【００２５】
また、回線の障害を監視するための専用のソケットを設ける必要がなくなるとともに、すべての回線が異常となるような障害だけでなく、１つのソケットのみが異常となるような障害が発生した場合でも、その異常を検知することができる。さらに、１つのソケットで異常が発生した場合でも、その他の正常に伝送しているソケットを停止させる必要がなくなった。
【００２６】
請求項３の発明は、ＴＣＰ／ＩＰプロトコルを実装して、ＬＡＮによって接続された他の端末装置とソケット通信により伝送データの送受信を行っているときの異常を監視する異常監視機能を備えた端末装置における処理プログラムを記録した記録媒体であって、前記伝送データを前記他の端末装置に送信するときには、前記伝送データを送信する処理と、異常を監視するための監視データを一定の周期でソケット毎に送信する処理と、前記監視データを一定時間送信できなかったときには送信できなかったソケットのみをクローズしてから初期化する処理とを含み、前記他の端末装置から前記伝送データを受信するときには、前記伝送データを受信する処理と、前記他の端末装置から一定の周期で送信された監視データをソケット毎に受信する処理と、前記監視データを一定時間受信しなかったときには受信しなかったソケットのみをクローズしてから初期化する処理とを含むことを特徴とする。
【００２７】
この請求項３の発明によれば、異常が発生していることに気付かずにコネクションが確立したままになることを防止することができ、回線の異常を速やかに検知することができる。
【００２８】
また、回線の障害を監視するための専用のソケットを設ける必要がなくなるとともに、すべての回線が異常となるような障害だけでなく、１つのソケットのみが異常となるような障害が発生した場合でも、その異常を検知することができる。さらに、１つのソケットで異常が発生した場合でも、その他の正常に伝送しているソケットを停止させる必要がなくなった。
【００２９】
【発明の実施の形態】
以下、本発明に係る異常監視機能を備えた伝送システムの実施形態を図面に基づいて説明する。
【００３０】
図１に示すように、本発明の異常監視機能を備えた伝送システム１は、送信側の端末装置２と受信側の端末装置３とがイーサネットなどのＬＡＮ（Local Area Network）で形成された伝送路によって接続されている。
【００３１】
この送信側の端末装置２は、パソコンやワークステーション、ＰＬＣ（Programable Logic Controler）などのＴＣＰ／ＩＰ（Transmission Control Protocol/Internet Protocol）プロトコルの実装されたコンピュータであって、ソケット通信を行うことができ、イーサネットなどのＬＡＮを介して伝送データを送信するとともに、各ソケット毎に一定の周期で監視データを送信する。このソケットは複数あり、例えば水道事業における処理場とポンプ所との間の伝送では、デジタルデータ、アナログデータ、パルスデータ、デジタル出力、設定値出力などの伝送を行うソケットが用意されている。
【００３２】
同様に、受信側の端末装置３もパソコンやワークステーション、ＰＬＣなどのＴＣＰ／ＩＰプロトコルの実装されたコンピュータであって、ソケット通信を行うことができ、イーサネットなどのＬＡＮを介して伝送データを受信するとともに、ソケット毎に一定の周期で送られてくる監視データを受信する。
【００３３】
なお、端末装置２、３は、各種の処理を行うためのＣＰＵと、この処理の命令を記憶する記憶手段とを含む通常のコンピュータシステムが含まれ、端末装置２、３で行われる各処理の命令やタイミング制約は記憶手段に保持されており、必要に応じてＣＰＵにロードされ、実行がなされる。
【００３４】
また、送信側の端末装置２と受信側の端末装置３とを接続する伝送路はＬＡＮによって構成され、とくにＬＡＮがイーサネットである場合には、送信側の端末装置２はトランシーバケーブル４及びトランシーバ５を介してイーサネット同軸ケーブル６に接続され、受信側も同様に端末装置３はトランシーバケーブル７及びトランシーバ８介してイーサネット同軸ケーブル６に接続されている。さらに、トランシーバに代えてＡＴＭルータを用いることによって、イーサネット同軸ケーブルの代わりに光ファイバーケーブルを使用して伝送路としてもよい。
【００３５】
次に、図２及び図３のフローチャートに基づいて本実施形態の異常監視機能を備えた伝送システムによるデータの伝送及び異常の監視について説明する。
【００３６】
まず、送信側の端末装置２における処理を図２のフローチャートに基づいて説明する。送信側では、まず初期化処理として複数のソケットのうちデータを伝送するソケットをアクティブオープンして受信側にコネクションの確立を要求する（Ｓ２０１）。このとき、受信側の該当するソケットがパッシブオープンされていなければ、コネクションは確立されないのでステップＳ２０１に戻ってコネクションの確立を要求し続け、受信側のソケットがパッシブオープンされているときにはコネクションを確立する（Ｓ２０２）。コネクションが確立されると、その後はオペレータによるポンプの操作命令や各機器の作動状況などの伝送データがあれば、随時伝送することができる。そこで、オペレータから伝送データが入力されたか否かを判断し（Ｓ２０３）、伝送データが入力されたときにはその伝送データを送信する（Ｓ２０４）。そして、伝送データが受信側の端末装置３に送信されたか否かを確認し（Ｓ２０５）、送信されたときにはコネクションを確立し続けるか否かを判断する（Ｓ２０６）。ここで、コネクションを終了するときにはソケットをクローズして（Ｓ２０７）伝送が終了する。
【００３７】
一方、ステップＳ２０３で伝送データが未だ入力されていないとき、ステップＳ２０５で伝送データが送信されていないとき、あるいはステップＳ２０６でコネクションを確立し続けるときには、回線が正常であることを監視するための監視データを送信する。この監視データは一定の周期、例えば３０秒間隔で送信されるものなので、その周期に相当する一定の時間（例えば３０秒）が経過したか否かを判断し（Ｓ２０８）、一定の時間が経過したときには監視データを送信する（Ｓ２０９）。ここで、この監視データが受信側の端末装置３に送信されたか否かを確認し（Ｓ２１０）、送信されているときにはステップＳ２０３に戻って次の伝送データの有無を判断して伝送が続けられる。一方、監視データが送信されていないときには一定時間、例えば数分間監視データを送信し続け（Ｓ２１１）、その間に監視データが送信されたときには正常であると判断してステップＳ２０３に戻って伝送が続けられるが、一定の時間監視データが受信側に送信されないときには異常が発生したと判断してオペレータに異常の発生を知らせてソケットをクローズする（Ｓ２１３）。そして、再びステップＳ２０１に戻ってアクティブオープンして再コネクションの要求をして初期化し、再び伝送データの送信を開始するようにする。
【００３８】
このように、本発明の異常監視機能を備えた伝送システムでは、一定時間監視データを送信し続けても、受信側に送信されないときには異常が発生したと判断して回線を一端クローズしてから、再コネクションを要求する。
【００３９】
これによって、異常が発生しているにも関わらずコネクションが確立したままになることを防止することができるので、速やかに異常を検知することができ、さらに水道事業における伝送ではオペレータが操作命令を入力するまで異常に気付かないという事態を防止することができる。
【００４０】
次に、受信側の端末装置３における処理を図３のフローチャートに基づいて説明する。受信側では、まず初期化処理として伝送データが送信されてくるソケットをパッシブオープンして送信側にコネクションの確立を要求する（Ｓ３０１）。このとき、送信側の該当するソケットがアクティブオープンされていなければ、コネクションは確立されないのでステップＳ３０１に戻ってコネクションを要求し続け、送信側の該当するソケットがアクティブオープンされているときにはコネクションを確立する（Ｓ３０２）。コネクションが確立されると、その後はオペレータによるポンプの操作命令や各機器の作動状況などの伝送データが送信側の端末装置２に入力されれば、随時受信側に伝送されてくる。そこで、コネクションが確立されたら、伝送データが送られてきているか否かを判断し（Ｓ３０３）、伝送データが送られてきたときには伝送データを受信する（Ｓ３０４）。伝送データを受信したらコネクションを確立し続けるか否かを判断し（Ｓ３０５）、コネクションを終了するときにはソケットをクローズして（Ｓ３０６）伝送を終了する。
【００４１】
一方、ステップＳ３０３で伝送データが送られてきていないとき、あるいはステップＳ３０５でコネクションを確立し続けるときには、回線が正常であることを監視するために送信側の端末装置２から送信された監視データを受信する。この監視データは一定の周期、例えば３０秒間隔で送信されるものなので、一定の時間間隔（例えば３０秒）で監視データを受信したか否かを判断し（Ｓ３０７）、受信しているときにはステップＳ３０３に戻って次の伝送データの有無を判断して伝送が続けられる。一方、監視データを一定の時間間隔で受信していないときには一定時間、例えば数分間監視データが送信されてくるのを待つ（Ｓ３０８）。ここで、監視データを受信したときには正常であると判断してステップＳ３０３に戻って伝送を続けるが、受信しないときには異常が発生したと判断してオペレータに異常の発生を知らせてソケットをクローズする（Ｓ３１０）。そして、再びステップＳ３０１に戻ってパッシブオープンして再コネクションの要求をして初期化し、再び伝送データの受信を開始する。
【００４２】
このように、本発明の異常監視機能を備えた伝送システムでは、一定時間監視データを受信しなかったときには異常が発生したと判断して回線を一端クローズして、再コネクションを要求する。
【００４３】
これによって、異常が発生しているにも関わらずコネクションが確立したままになることを防止することができるので、速やかに異常を検知することができる。
【００４４】
さらに、本発明の端末装置ではソケット毎に監視データを送信して各ソケット毎に異常を監視するので、どれか１つのソケットのみに異常が発生した場合でもその異常を検知することができるとともに、異常の発生したソケットのみを停止させることもできる。
【００４５】
したがって、１つのソケットの異常によって他の正常に伝送しているソケットまで停止させるという事態を防止することができる。
【００４６】
また、水道事業における遠隔地にあるポンプ所と処理場との間の通信では、オペレータが実際に機器を操作しようとしたときになって初めて異常に気付くということがなくなるので、ポンプを非常停止させるような緊急を要する操作が操作不能になることがなくなり、断水や送水停止、雨水の氾濫、処理場の冠水などの重大な事態を引き起こすことがなくなった。
【００４７】
なお、上述した異常監視機能を備えた端末装置の各処理を実現するためのプログラムは記録媒体に保存することができ、この記録媒体をコンピュータシステムによって読み込ませることにより、前記プログラムを実行してコンピュータを制御しながら上述した端末装置の各処理を実現することができる。ここで、前記記録媒体とは、メモリ装置、磁気ディスク装置、光ディスク装置等、プログラムを記録することができるような装置が含まれる。
【００４８】
【発明の効果】
以上説明してきたように、本発明の異常監視機能を備えた伝送システム、異常監視機能を備えた端末装置、及び異常監視機能を備えた端末装置における処理プログラムを記録した記録媒体は、一定の周期の監視データを送受信し、この監視データを一定時間送受信できなかったときには異常が発生したと判断して該当するソケットをクローズして再コネクションを確立するので、異常が発生していることに気付かずにコネクションが確立したままになることを防止することができる。
【００４９】
これによって、回線の異常を速やかに検知することができ、端末装置が動作しなくなる無応答状態に陥ることを防止することができる。
【００５０】
さらに、ソケット毎に監視データを送受信して各ソケット毎に異常を監視するので、回線の障害を監視するための専用のソケットを設ける必要がなくなるとともに、すべての回線が異常となるような障害だけでなく、１つのソケットのみが異常となるような障害が発生した場合でも、その異常を検知することができる。また、各ソケット毎に異常を監視しているので、１つのソケットで異常が発生した場合でも、その他の正常に伝送しているソケットを停止させる必要がなくなった。
【００５１】
また、水道事業における遠隔地にあるポンプ所と処理場との間の通信に本発明の伝送システムを利用した場合には、オペレータが実際に機器を操作しようとしたときになって初めて異常に気付くということがなくなるので、ポンプを非常停止させるような緊急を要する操作が操作不能になることがなくなり、断水や送水停止、雨水の氾濫、処理場の冠水などの重大な事態を引き起こす可能性がなくなった。
【図面の簡単な説明】
【図１】本発明による異常監視機能を備えた伝送システムの一実施形態の構成を示す図である。
【図２】本発明の異常監視機能を備えた伝送システムの送信側端末装置の処理を説明するためのフローチャートである。
【図３】本発明の異常監視機能を備えた伝送システムの受信側端末装置の処理を説明するためのフローチャートである。
【図４】従来の伝送システムを利用した水道事業における処理場とポンプ所との間の伝送を説明するためのブロック図である。
【図５】従来の伝送システムの送信側端末装置の処理を説明するためのフローチャートである。
【図６】従来の伝送システムの受信側端末装置の処理を説明するためのフローチャートである。
【符号の説明】
１、１０１  伝送システム
２、３  端末装置
４、７  トランシーバケーブル
５、８  トランシーバ
６  イーサネット同軸ケーブル
１０２  処理場
１０３  監視装置
１０４、１０７  ＰＬＣ
１０５  ポンプ所
１０６  ポンプ
１０８  伝送路
【図１】
0003992895.tif 000002
【図２】
0003992895.tif 000003
【図３】
0003992895.tif 000004
【図４】
0003992895.tif 000005
【図５】
0003992895.tif 000006
【図６】
0003992895.tif 000007